(57)【要約】      （修正有）【課題】球石の装飾に飽きがきたり、使用中に球石の一部が損傷したりした場合に、使用者が当該部分の球石を簡単に好みの球石に交換することができる環状アクセサリーを提供する。【解決手段】球石１が球石保持枠４内に収められて保持され、球石１を保持した球石保持枠４が複数連結されることにより環状に形成される。球石１にはバネ棒挿通孔が貫設されて、そこに長さ変更可能なバネ棒３が挿入され、バネ棒３は無負荷時において球石１の直径よりも少し長尺のものとされ、バネ棒３は、バネ棒挿通孔に挿通された際に球石１からはみ出るその両端部が、球石保持枠４に穿設された係止孔内に進入して球石保持枠４に係止されることにより球石１が球石保持枠４内に保持され、バネ棒３は、球石保持枠４の外側面に開口される係止孔を通してそのバネ圧に抗して押圧することにより、球石保持枠４から取り外し可能である。【選択図】図１
0003170894.tif 000002
【実用新案登録請求の範囲】
【請求項１】
球石が球石保持枠内に収められて保持され、前記球石を保持した前記球石保持枠が複数連結されることにより環状に形成され、前記球玉保持枠のうちの少なくとも１つが保持する前記球石を自由に交換できるように構成されている環状アクセサリーであって、
交換可能にした前記球石にはバネ棒挿通孔が貫設されて、そこに長さ変更可能なバネ棒が挿入され、前記バネ棒は無負荷時において前記球石の直径よりも少し長尺のものとされ、前記バネ棒は、前記バネ棒挿通孔に挿通された際に前記球石からはみ出るその両端部が、前記球石保持枠に穿設された係止孔内に進入して前記球石保持枠に係止されることにより前記球石が前記球石保持枠内に保持され、
前記バネ棒は、前記球石保持枠の外側面に開口される前記係止孔を通してそのバネ圧に抗して押圧することにより、前記球石保持枠から取り外し可能であることを特徴とする環状アクセサリー。
【請求項２】
前記バネ棒の前記球石保持枠への脱着操作は、専用治具を用いて行う、請求項１に記載の環状アクセサリー。
【請求項３】
前記球石保持枠の数を増減することにより、長さの調整を可能にした、請求項１又は２に記載のブレスレット。
【考案の詳細な説明】
【技術分野】
【０００１】
本考案は環状アクセサリー関するものであり、より詳細には、ブレスレット及びネックレスを含む環状のアクセサリーであって、当該アクセサリーを構成する球状の天然又は人工の宝玉その他の装飾球石類（以下「球石」とする）が容易に交換可能である環状アクセサリーに関するものである。
【背景技術】
【０００２】
上記環状アクセサリーは一般に、多数の球石を、各球石に設けた貫通孔にチェーン、索条、繊維紐等の連結紐を通すことにより環状に構成され、多くの場合、各球石は、連結紐を軸に回転可能状態となっている。
【０００３】
そして、需要者が市販の環状アクセサリーの商品選択をする際は、各種装飾が施されて店頭に陳列されているものの中から好みのものを選択し、その装飾状態のまま使用することになる。当然のことながら、好みというのは人それぞれであり、オーダーメイド商品を除き、需要者の希望する環状アクセサリーが商品として存在しない場合もあり、また、一旦購入した場合であっても、その後、当該装飾に飽きがくる場合も少なくない。また、使用中に、球石の一部が損傷したりすることもあるが、従来の環状アクセサリーの場合は、その球石の一部交換は想定されていないため、そのような場合は、全体の交換、即ち、買い替えを余儀なくされていた。
【先行技術文献】
【特許文献】
【０００４】
【特許文献１】特開平６−２８４９１９号公報
【特許文献２】特許第４３４４１１８号公報
【考案の概要】
【考案が解決しようとする課題】
【０００５】
上述したように、従来の環状アクセサリーの場合は、それを構成する球石の装飾に飽きがきたり、使用中に、球石の一部が損傷したりした場合に、球石の部分的交換を行うことができず、そのような場合は、買い替えを余儀なくされていた。本考案は、かかる現状に鑑みてなされたものであって、球石の装飾に飽きがきたり、使用中に球石の一部が損傷したりした場合に、使用者が当該部分の球石を簡単に好みの球石に交換することができる環状アクセサリーを提供することを課題とする。
【課題を解決するための手段】
【０００６】
上記課題を解決するための請求項１に記載の考案は、球石が球石保持枠内に収められて保持され、前記球石を保持した前記球石保持枠が複数連結されることにより環状に形成され、前記球玉保持枠のうちの少なくとも１つが保持する前記球石を自由に交換できるように構成されている環状アクセサリーであって、交換可能にした前記球石にはバネ棒挿通孔が貫設されて、そこに長さ変更可能なバネ棒が挿入され、前記バネ棒は無負荷時において前記球石の直径よりも少し長尺のものとされ、前記バネ棒は、前記バネ棒挿通孔に挿通された際に前記球石からはみ出るその両端部が、前記球石保持枠に穿設された係止孔内に進入して前記球石保持枠に係止されることにより前記球石が前記球石保持枠内に保持され、前記バネ棒は、前記球石保持枠の外側面に開口される前記係止孔を通してそのバネ圧に抗して押圧することにより、前記球石保持枠から取り外し可能であることを特徴とする環状アクセサリーである。
【０００７】
一実施形態においては、前記バネ棒の前記球石保持枠への脱着操作は、専用治具を用いて行う。また、一実施形態においては、前記球石保持枠の数の増減を可能にして、全長の調整を可能にする。
【考案の効果】
【０００８】
本考案に係る環状アクセサリーは上記のとおりのものであって、需要者が購入後において、バネ棒を操作することにより、簡単に球石を球石保持枠から取り外すことができ、適宜好みの球石と入れ替えることができるため、その時々の気分に合ったブレスレット等に変更しての着用が可能となる効果がある。また、球石の一部が損傷したような場合にも、その部分的交換が可能であるため、その損傷部分以外の部分をそのまま無駄なく使用することができて経済的である。
【図面の簡単な説明】
【０００９】
【図１】本考案に係る環状アクセサリーの一実施形態の正面図及び側面図である。
【図２】本考案に係る環状アクセサリーの一実施形態の要部分解斜視図である。
【図３】本考案に係る環状アクセサリーの一実施形態における球石保持枠に対する球石の脱着方法を示す斜視図である。
【考案を実施するための形態】
【００１０】
本考案を実施するための形態について、添付図面に依拠して説明する。本考案に係る環状アクセサリーは、球状の天然又は人工の宝玉その他の装飾性を有する球石１を連結して構成されるものであって、各球石１はそれぞれ、互いに連結し合って環状体を形成する球石保持枠４内に収められて支持される。一般に球石１は真球体とされるが、それに限られる訳ではなく、種々の形状となし得ることは言うまでもない。
【００１１】
本発明に係る環状アクセサリーにおいては、球玉保持枠４のうちの少なくとも１つが、保持する球石１を自由に交換できるように構成される。その場合の球石１には、通例、その中心を通るバネ棒挿通孔２が貫設されて、そこに長さ変更可能なバネ棒３が挿入される。例えば、バネ棒３は鞘構造であって、両端部のストッパー付きピン部３ａが、その鞘部３ｂ内に収装されているバネによって常時外方に付勢された状態となっており、各ピン部３ａは、当該バネのバネ圧に抗して若干押し込めるようになっている。
【００１２】
バネ棒３は、無負荷時において球石１の直径よりも少し長尺に、即ち、バネ棒挿通孔２に挿通された際に、その両端部のピン部３ａが球石１からはみ出る長さに形成される（図３参照）。そして、バネ棒３がバネ棒挿通孔２に挿通された状態で、各ピン部３ａが、球石保持枠４の対称的位置に穿設された係止孔５内に進入することにより、バネ棒３が球石保持枠４に係止され、以て球石１が球石保持枠４内に保持される。
【００１３】
また、バネ棒３は、球石保持枠４の外側面に開口される係止孔５を通し、そのバネ圧に抗してピン部３ａを押圧することにより、球石保持枠４から取り外すことができ、以て、球石１を球石保持枠４から取り外すことができる。通例、この球石１の取り外し操作は、専用の治具１０を用いて行うようにされる。
【００１４】
球石保持枠４は、通例、金属製の円形リングであるが、円形に限られる訳ではなく、楕円、あるいは、四角形、六角形等の多角形に形成することもでき、また、硬質樹脂を以て形成することもできる。好ましい実施形態においては、球石保持枠４は互いに脱着可能に構成される。
【００１５】
図示した実施形態においては、球石保持枠４の外側面に一対の支持脚６が突設され、その反対側の外側面に、支持脚６間に嵌まり込む連結用突部７が形成され、支持脚６から連結用突部７にかけて固定ピン（図示してない）が打ち込まれる構造となっている。固定ピンは、連結用突部７に対しては緊密状態となり、支持脚６に対しては遊挿状態となるようにされ、以て、各球石保持枠４が隣接する球石保持枠４に対して自由に回動することを許容する。この場合固定ピンは、強く叩くことにより抜き出すことができ、それにより、球石保持枠４を取り外すことができる。換言すれば、必要に応じて、長さ調整のために球石保持枠４を取り外し又は追加し、あるいは、交換することができる。
【００１６】
本考案に係る環状アクセサリーは、球石１を保持した球石保持枠４を複数連結していくことにより環状体を構成するが、末端の球石保持枠４には、適宜連結金具８、９が設置され、この連結金具８、９を介して環状にされる。
【００１７】
そして、上述したように、長さ調整のために球石保持枠４を取り外したり、追加したりすることができ、また、交換することができるだけでなく、バネ棒３のピン部３ａを専用の治具１０を用いて係止孔５からそのバネ圧に抗して押圧する操作により、バネ棒３を球石保持枠４から取り外すことにより、球石１を球石保持枠４から取り外すことができる。このように、球石１は簡単な操作で球石保持枠４に脱着できるため、球石１を自由に好みのものに交換して楽しむことができる。また、バネ棒３は球石１に対して遊挿状態に挿通されるため、球石１は指先で自由に回転させることができるので、その回転を楽しむこともできる。
【００１８】
なお、上記のようにして球石１を交換可能にした球石保持枠４と、そのような構成になっていない球石保持枠とを混在させた環状アクセサリーとすることもある。
【００１９】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２０】
１    球石
２    バネ棒挿通孔
３    バネ棒
４    球石保持枠
５    係止孔
６    支持脚
７    連結用突部
８    連結金具
９    連結金具
１０    専用治具
【図１】
0003170894.tif 000003
【図２】
0003170894.tif 000004
【図３】
0003170894.tif 000005